(57)【要約】【課題】  各機能の動作状況を一元管理することができるプラント監視用マンマシン装置を提供する。【解決手段】  オペレータ入出力機器１００との間で入出力を行うオペレータ入出力手段１と、イベント入力配送手段２と、処理タスク起動情報３１を参照し、起動命令を出力する処理タスク起動手段３と、モジュール化された処理タスク４１を起動実行させる処理タスク実行手段４と、モジュール化されたオペレータ出力部品５１を参照し、オペレータ出力を出力するオペレータ出力処理手段５とを備え、オペレータ入出力手段１〜オペレータ出力処理手段５の各手段から出力される異常状態ログを収集し、所定時間毎の上記各手段における異常状態をマトリクス形式にまとめて出力するログ収集インターフェース６２を有する状態監視手段６１を備えた。【選択図】        図５
2007065744.tif 000002
【特許請求の範囲】
【請求項１】
オペレータ入出力機器と、上記オペレータ入出力機器との間で入出力を行うオペレータ入出力手段と、プラント又は上記オペレータ入出力手段からのイベントを入力し、イベント入力配送情報を参照し、指令イベントまたはオペレータ出力命令を出力するイベント入力配送手段と、上記指令イベントを入力し、処理タスク起動情報を参照し、起動命令を出力する処理タスク起動手段と、上記起動命令を入力し、モジュール化された処理タスクを起動実行させ、その実行出力をオペレータ出力命令として出力する処理タスク実行手段と、上記オペレータ出力命令を入力し、モジュール化されたオペレータ出力部品を参照し、オペレータ出力を出力するオペレータ出力処理手段とを備えたプラント監視用マンマシン装置において、
上記オペレータ入出力手段、上記イベント入力配送手段、上記処理タスク起動手段、上記処理タスク実行手段、および上記オペレータ出力処理手段から出力される異常状態ログを収集し、所定時間毎の上記各手段における異常状態をマトリクス形式にまとめて出力するログ収集インターフェースを有する状態監視手段を備えたことを特徴とするプラント監視用マンマシン装置。
【請求項２】
オペレータ入出力機器と、上記オペレータ入出力機器との間で入出力を行うオペレータ入出力手段と、プラント又は上記オペレータ入出力手段からのイベントを入力し、イベント入力配送情報を参照し、指令イベントまたは描画命令を出力するイベント入力配送手段と、上記指令イベントを入力し、処理タスク起動情報を参照し、起動命令を出力する処理タスク起動手段と、上記起動命令を入力し、モジュール化された処理タスクを起動実行させ、その実行出力を描画命令として出力する処理タスク実行手段と、上記描画命令を入力し、モジュール化された描画部品を参照し、表示出力する描画処理手段とを備えたプラント監視用マンマシン装置において、
上記オペレータ入出力手段、上記イベント入力配送手段、上記処理タスク起動手段、上記処理タスク実行手段、および上記描画処理手段から出力される異常状態ログを収集し、所定時間毎の上記各手段における異常状態をマトリクス形式にまとめて出力するログ収集インターフェースを有する状態監視手段を備えたことを特徴とするプラント監視用マンマシン装置。
【請求項３】
上記プラント監視用マンマシン装置は、上記処理タスク起動手段と上記処理タスク実行手段の機能を統括した処理タスク起動実行手段を備え、
上記オペレータ入出力手段、上記イベント入力配送手段、上記処理タスク起動実行手段、および上記オペレータ出力処理手段又は上記描画処理手段から出力される異常状態ログを収集し、所定時間毎の上記各手段における異常状態をマトリクス形式にまとめて出力するログ収集インターフェースを有する状態監視手段を備えたことを特徴とする請求項１又は請求項２に記載のプラント監視用マンマシン装置。
【請求項４】
上記状態監視手段は、上記ログ収集インターフェースにより収集されたマトリクス形式の異常状態ログを蓄積するログ蓄積機能と、上記ログ蓄積機能に対して外部からアクセスすることを可能とする蓄積ログアクセスインターフェースを備えたことを特徴とする請求項１から請求項３のいずれか１項に記載のプラント監視用マンマシン装置。
【請求項５】
上記状態監視手段は、上記ログ収集インターフェースにて受け付けた各手段の異常状態ログの中の異常状態を検知するログ監視機能と、上記ログ監視機能で検知した異常状態をオペレータへ警報として通知するアラーム通知機能を備えたことを特徴とする請求項１から請求項４のいずれか１項に記載のプラント監視用マンマシン装置。
【請求項６】
上記ログ収集インターフェースで収集された異常状態ログのマトリクス内において、微細な異常に該当する箇所に非表示／非通知マスクをかけることを特徴とする請求項１から請求項５のいずれか１項に記載のプラント監視用マンマシン装置。
【請求項７】
上記ログ収集インターフェースで収集された異常状態ログのマトリクス内において、異常の程度を示すマークをつけることを特徴とする請求項１から請求項６のいずれか１項に記載のプラント監視用マンマシン装置。
【請求項８】
上記ログ収集インターフェースで収集された異常状態ログのマトリクス内において、表示／通知の優先度をつけることを特徴とする請求項１から請求項７のいずれか１項に記載のプラント監視用マンマシン装置。
【請求項９】
請求項１から請求項９のいずれか１項記載のプラント監視用マンマシン装置を複数台備え、上記各プラント監視用マンマシン装置から出力される異常状態ログをネットワークを介して収集し、所定時間毎の上記各装置における異常状態をマトリクス形式にまとめて出力する統合状態監視側ネットワークインターフェースを有する統合状態監視手段を備えたことを特徴とするプラント監視用マンマシンシステム。
【請求項１０】
上記統合状態監視手段は、上記統合状態監視側ネットワークインターフェースにより収集されたマトリクス形式の異常状態ログを蓄積する統合ログ蓄積機能と、上記統合ログ蓄積機能に対して外部からアクセスすることを可能とする統合蓄積ログアクセスインターフェースを備えたことを特徴とする請求項９に記載のプラント監視用マンマシンシステム。
【請求項１１】
上記統合状態監視手段は、上記統合状態監視側ネットワークインターフェースにて受け付けた各装置の異常状態ログの中の異常状態を検知する統合ログ監視機能と、上記統合ログ監視機能で検知した異常状態をオペレータへ警報として通知する統合アラーム通知機能を備えたことを特徴とする請求項９または請求項１０に記載のプラント監視用マンマシンシステム。
【請求項１２】
上記統合状態監視側ネットワークインターフェースで収集された異常状態ログのマトリクス内において、微細な異常に該当する箇所に非表示／非通知マスクをかけることを特徴とする請求項９から請求項１１のいずれか１項に記載のプラント監視用マンマシンシステム。
【請求項１３】
上記統合状態監視側ネットワークインターフェースで収集された異常状態ログのマトリクス内において、異常の程度を示すマークをつけることを特徴とする請求項９から請求項１２のいずれか１項に記載のプラント監視用マンマシンシステム。
【請求項１４】
上記統合状態監視側ネットワークインターフェースで収集された異常状態ログのマトリクス内において、表示／通知の優先度をつけることを特徴とする請求項９から請求項１３のいずれか１項に記載のプラント監視用マンマシンシステム。
【発明の詳細な説明】
【技術分野】
【０００１】
この発明は、発電プラント、工業プラント等のプラントの運転状態を監視し、その状態をオペレータに出力すると共に、オペレータからの操作に応じて表示やデータ送信等の処理をするプラント監視制御用マンマシン装置及びシステムに関する。
【背景技術】
【０００２】
従来、オペレータやプラントからのイベント入力に基づいて、イベント入力配送手段がイベント入力配送情報を参照して指令イベント又はＯＰ（オペレータ）出力命令を出力し、処理タスク起動手段が処理タスク起動情報を参照して起動命令を出力し、処理タスク実行手段が処理タスクから所定の処理タスクを実行し、ＯＰ出力処理手段がＯＰ出力命令に応じたＯＰ出力部品から所定の部品を抽出し、オペレータ入出力手段を介してオペレータ入出力機器に表示するプラント監視用マンマシン装置があった（例えば、特許文献１参照）。
【０００３】
上記プラント監視用マンマシン装置においては、装置内の各機能又は各装置の状態を監視する場合、人手を介して、装置内の各機能の１個１個または監視対象である複数のプラント監視用マンマシン装置の１台１台に接続し、ログを取得し解析することにより対応していた。
【０００４】
【特許文献１】特許第２８２１０９０号（請求項１、第１図等）
【発明の開示】
【発明が解決しようとする課題】
【０００５】
従来のプラント監視用マンマシン装置は、装置内の各機能または各装置の状態を監視する手段がないため、装置内の各機能または各装置の状態を監視することが出来ない。また、人手を介して、装置内の各機能の１個１個または監視対象である複数のプラント監視用マンマシン装置の１台１台に接続し、ログを取得し解析しなければならず、時間及びコスト低減が図れなかった。
【０００６】
この発明は上記のような課題を解決するためになされたものであり、プラント監視用マンマシン装置内の各機能の動作状況を一元管理することができるプラント監視用マンマシン装置を提供する。
【０００７】
また、複数のプラント監視用マンマシン装置の動作状況を一元管理することができるプラント監視用マンマシンシステムを提供する。
【課題を解決するための手段】
【０００８】
この発明に係るプラント監視用マンマシン装置は、オペレータ入出力機器と、オペレータ入出力機器との間で入出力を行うオペレータ入出力手段と、プラント又はオペレータ入出力手段からのイベントを入力し、イベント入力配送情報を参照し、指令イベントまたはオペレータ出力命令を出力するイベント入力配送手段と、指令イベントを入力し、処理タスク起動情報を参照し、起動命令を出力する処理タスク起動手段と、起動命令を入力し、モジュール化された処理タスクを起動実行させ、その実行出力をオペレータ出力命令として出力する処理タスク実行手段と、オペレータ出力命令を入力し、モジュール化されたオペレータ出力部品を参照し、オペレータ出力を出力するオペレータ出力処理手段とを備えたプラント監視用マンマシン装置において、オペレータ入出力手段、イベント入力配送手段、処理タスク起動手段、処理タスク実行手段、およびオペレータ出力処理手段から出力される異常状態ログを収集し、所定時間毎の上記各手段における異常状態をマトリクス形式にまとめて出力するログ収集インターフェースを有する状態監視手段を備えたことを特徴とする。
【発明の効果】
【０００９】
この発明に係るプラント監視用マンマシン装置によれば、プラント監視用マンマシン装置のオペレータ入出力手段、イベント入力配送手段、処理タスク起動手段、処理タスク実行手段、およびオペレータ出力処理手段から出力される異常状態ログを収集し、所定時間毎の上記各手段における異常状態をマトリクス形式にまとめて出力するログ収集インターフェースを有する状態監視手段を備えたので、プラント監視用マンマシン装置の各手段の異常状態を時系列的に一元管理することが可能になる。
【発明を実施するための最良の形態】
【００１０】
以下、この発明を実施するための最良の形態を図に基づいて説明する。
【００１１】
実施の形態１．
図１はこの発明の実施の形態１によるプラント監視用マンマシン装置を示す構成図である。図において、オペレータ入出力手段１は、ＣＲＴディスプレイ１１、タッチパネル１２、キーボード１３、スピーカー１４、マイク１５等のオペレータ入出力機器１００との間で入出力を行う。イベント入力配送手段２は、プラント９やオペレータ入出力手段１からのイベントを入力し、イベント入力配送情報２１を参照し、指令イベントまたはオペレータ出力命令（ＯＰ出力命令）を出力する。処理タスク起動手段３は、指令イベントを入力し、処理タスク起動情報３１を参照し、起動命令を出力する。処理タスク実行手段４は、起動命令を入力し、モジュール化された処理タスク４１を起動実行させ、その実行出力をオペレータ出力命令（ＯＰ出力命令）として出力する。オペレータ出力（ＯＰ出力）処理手段５は、オペレータ出力命令（ＯＰ出力命令）を入力し、モジュール化されたオペレータ出力部品（ＯＰ出力部品）５１を参照し、オペレータ出力（ＯＰ出力）を出力する。
【００１２】
次に、上述のオペレータ入出力手段１、イベント入力配送手段２、処理タスク起動手段３、処理タスク実行手段４およびＯＰ出力処理手段５の通常動作を説明する。本例ではプラント内に装備されたセンサからの出力を基に実行される処理を例にあげ、図２に示す処理の流れを表すフローチャートを参照しながら説明する。まず、タッチパネル１２、キーボード１３、マイク１５等のオペレータ入出力機器１００からオペレータの要求がオペレータ入出力手段１を通して、イベントとしてイベント入力配送手段２へ入力される。また、プラント９からの計測データがイベントとしてイベント入力配送手段２へ入力される。ここでは、「プラント９内のセンサＡの出力データが１５であった」というイベントが入力されたことを想定する（Ｓ１）。
【００１３】
イベント入力配送手段２では入力されたイベントに応じて、イベント入力配送情報２１を参照して出力を決定する（Ｓ２）。そしてイベントの種類によって、出力先を決め、処理タスク起動手段３には指令イベント、またＯＰ出力処理手段５にはＯＰ出力命令を出力する（Ｓ４，Ｓ８）。ここでは図３に示すようなイベント入力配送情報が与えられたとする。このとき、「センサＡの値入力」なるイベントには、配送先として処理タスク起動手段３が割り当てられ、指令イベントとして「センサ判定処理１起動」なる指令イベントが出力される（Ｓ４）。
【００１４】
処理タスク起動手段４は指令イベントに応じて、処理タスク起動情報３１を参照して（Ｓ５）、処理タスク実行手段４へ起動命令を送信する（Ｓ６）。処理タスク実行手段４では起動命令に応じた処理タスクを実行し（Ｓ７）、その出力ＯＰ出力命令がＯＰ出力処理手段５へ出力される（Ｓ８）。
【００１５】
ここでは、センサ判定処理１は図４に示すフローチャートで表される。現在のセンサＡの値を１５とすると、Ｘに代入して判定し、異常となるので（Ｔ１，Ｔ２）、異常のＯＰ出力命令をＯＰ出力処理手段５へ出力する（Ｔ３）。ＯＰ出力命令を受けたＯＰ処理手段５は、ＯＰ出力が必要であれば、モジュール化されたＯＰ出力部品５１を使用して、ＯＰ出力をオペレータ入出力手段１を通してオペレータ入出力機器１００に出力され、オペレータに提示する（Ｓ９，Ｓ１０）。また、ＯＰ出力の必要がなければ終了する。この例では、異常を示すＯＰ出力処理（例えば警報を鳴らす、あるいは表示画面に異常状態のメッセージを表示する等）を実行する。
【００１６】
本実施の形態における上記オペレータ入出力手段１、イベント入力配送手段２、処理タスク起動手段３、処理タスク実行手段４、並びにＯＰ出力処理手段５は、それぞれ自分自身の異常状態を検出して、それぞれの異常状態ログを出力する機能を有している。例えば、オペレータ入出力手段１では、オペレータ入出力機器１００からのデータを受信できない、又はイベント入力配送手段２へデータを送信できないといった異常状態を検出し、異常状態ログとして出力する機能を備える。また、イベント入力配送手段２では、プラント９又はオペレータ入出力手段１からのデータを受信できない、イベント入力配送情報２１からデータを読み出せない、又は処理タスク起動手段３又はＯＰ出力処理手段５へデータを送信できないといった異常状態を検出し、異常状態ログとして出力する機能を備える。また、処理タスク起動手段３では、イベント入力配送手段２からのデータを受信できない、処理タスク起動情報３１からデータを読み出せない、又は処理タスク実行手段４へデータを送信できないといった異常状態を検出し、異常状態ログとして出力する機能を備える。また、処理タスク実行手段４では、処理タスク起動手段３からのデータを受信できない、処理タスク４１からデータを読み出せない、又はＯＰ出力処理手段５へデータを送信できないといった異常状態を検出し、異常状態ログとして出力する機能を備える。さらに、ＯＰ出力処理手段５では、イベント入力配送手段２又は処理タスク実行手段４からのデータを受信できない、ＯＰ出力部品５１からデータを読み出せない、又はオペレータ入出力手段１へデータを送信できないといった異常状態を検出し、異常状態ログとして出力する機能を備える。
【００１７】
そして、本実施の形態では、オペレータ入出力手段１、イベント入力配送手段２、処理タスク起動手段３、処理タスク実行手段４、およびＯＰ出力処理手段５からそれぞれ出力される異常状態ログを一括して収集する状態監視手段６１を設けている。
【００１８】
図５はこの発明の実施の形態１による状態監視手段６１の内部を含めたプラント監視用マンマシン装置を示す構成図である。図５の状態監視手段６１は、オペレータ入出力手段１、イベント入力配送手段２、処理タスク起動手段３、処理タスク実行手段４およびＯＰ出力処理手段５の各手段から出力される異常状態ログを定周期で取得するログ収集インターフェース（Ｉ／Ｆ）６２を備える。図６に示すように、ログ収集Ｉ／Ｆ６２は、所定周期で集められた異常状態ログを各時刻毎に、プラント監視用マンマシン装置の各手段（オペレータ入出力手段１、イベント入力配送手段２、処理タスク起動手段３、処理タスク実行手段４、ＯＰ出力処理手段５）について各異常状態（状態Ａ〜Ｚ）ごとにマトリクス形式にまとめて出力する。この場合、異常状態Ａ〜Ｚについて、各手段で共通化できる異常状態は共通化してまとめることとする。例えば、異常状態Ａは「データの受信ができない」、異常状態Ｂは「データの送信ができない」、異常状態Ｃは「データの読み出しができない」、異常状態Ｄは「データの書き込みができない」等としてまとめる。そして、各手段（オペレータ入出力手段１、イベント入力配送手段２、処理タスク起動手段３、処理タスク実行手段４、ＯＰ出力処理手段５）の各異常状態（Ａ〜Ｚ）において異常が受け付けられると、図６に示すようにマトリクス内の該当箇所にフラグが立てられる。
【００１９】
ログ蓄積機能６３は、ログ収集Ｉ／Ｆ６２により収集されたマトリクス形式の異常状態ログを一括して蓄積する。また、ログ蓄積機能６３は、ログ収集Ｉ／Ｆ６２を介して、オペレータ入出力手段１〜ＯＰ出力処理手段５の各手段のメモリ、Ｉ／Ｏなどのリソース使用量、ＣＰＵの負荷などシステムログ情報等が記憶される。
【００２０】
蓄積ログアクセスＩ／Ｆ６６は、ログ蓄積機能６３に対して外部からアクセスすることを可能とする機能を有する。すなわち、蓄積ログアクセスＩ／Ｆ６６は、プラント監視マンマシン装置の過去から現在までの蓄積された異常状態ログに対して、外部から簡単なアクセスＩ／Ｆを提供する。
【００２１】
ログ監視機能６４は、ログ収集Ｉ／Ｆ６２にて受け付けた各手段の異常状態ログの中の異常状態を検知する。すなわち、ログ監視機能６４は、ログ収集Ｉ／Ｆ６２を介して、オペレータ入出力手段１〜ＯＰ出力処理手段５の各手段の異常状態や、オペレータ入出力手段１〜ＯＰ出力処理手段５の各手段のメモリ、Ｉ／Ｏなどのリソース使用量の制限値オーバ、ＣＰＵの負荷などシステムログ情報の制限値オーバを検知する。そして、ログ監視機能６４は、異常状態を表示するＣＲＴ等の表示手段６９を備えている。
【００２２】
アラーム通知機能６５は、ログ監視機能６４で検知した異常状態をオペレータへ警報として通知する。
【００２３】
以上のように本実施の形態によれば、プラント監視用マンマシン装置のオペレータ入出力手段、イベント入力配送手段、処理タスク起動手段、処理タスク実行手段、およびオペレータ出力処理手段から出力される異常状態ログを収集し、所定時間毎の上記各手段における異常状態をマトリクス形式にまとめて出力するログ収集インターフェースを有する状態監視手段を備えたので、プラント監視用マンマシン装置の各手段の異常状態を時系列的に一元管理することが可能になる。
【００２４】
また、人手を介して、装置内の各手段の１個１個に接続し、ログを取得する必要がなく、時間及びコスト低減が図れる。
【００２５】
また、本実施の形態によれば、ログ収集インターフェースにより収集されたマトリクス形式の異常状態ログを蓄積するログ蓄積機能と、ログ蓄積機能に対して外部からアクセスすることを可能とする蓄積ログアクセスインターフェースを備えたので、外部手段によりプラント監視用マンマシン装置内の異常状態ログの分析が可能になる。
【００２６】
また、本実施の形態によれば、ログ収集インターフェースにて受け付けた各手段の異常状態ログの中の異常状態を検知するログ監視機能と、ログ監視機能で検知した異常状態をオペレータへ警報として通知するアラーム通知機能を備えたので、プラント監視用マンマシン装置内の各手段の異常検出の迅速化が図れる。
【００２７】
上記実施の形態において、ログ収集Ｉ／Ｆ６２は、所定周期で集められた異常状態ログを各時刻毎に、プラント監視用マンマシン装置の各手段（オペレータ入出力手段１、イベント入力配送手段２、処理タスク起動手段３、処理タスク実行手段４、ＯＰ出力処理手段５）について各異常状態（状態Ａ〜Ｚ）ごとにマトリクス形式にまとめて出力し、各手段について異常が受け付けられると、マトリクス内の該当箇所にフラグを立てて、ログ監視機能６４を通じて表示手段６９に表示したり、アラム通知機能６５を介してアラーム通知したりしていた。しかし、微細な異常の場合は、ログ監視機能６４を通じて表示手段６９に表示したり、アラーム通知機能６５を介してアラーム通知したりする必要がないので、図７に示すように、あらかじめ異常状態ログのマトリクス内の微細な異常に該当する箇所に非表示／非通知マスクをかけておいても良い。このようにすれば、各手段において微細な異常が生じても、ログ監視機能６４を通じて表示手段６９に表示したり、アラーム通知機能６５を介してアラーム通知したりすることがない。
【００２８】
また、図８に示すように、あらかじめ異常状態ログのマトリクス内の重大な異常（例えば全くデータの送信ができない、全てのデータの読み出しができない等）に該当する箇所には重異常のマーク、軽度な異常（リトライならデータの送信ができる、一部のデータの読み出しができない等）に該当する箇所には軽異常のマーク、復旧可能な箇所には復旧マークを付けておいても良い。このようにすれば、各手段における重大、軽度、復旧可能といった異常の程度を、ログ監視機能６４を通じて表示手段６９に表示したり、アラーム通知機能６５を介してアラーム通知したりすることができる。
【００２９】
また、図９に示すように、あらかじめ異常状態ログのマトリクス内において表示／通知の優先度を付けておいても良い。このようにすれば、表示優先度に対応して各手段の異常を、ログ監視機能６４を通じて表示手段６９に表示したり、アラーム通知機能６５を介してアラーム通知したりすることができる。
【００３０】
図１０は、ログ収集Ｉ／Ｆ６２がまとめる異常状態ログのマトリクスにおいて、微細な異常に該当する箇所に非表示／非通知マスクを、重大な異常に該当する箇所には重異常のマークを、軽度な異常に該当する箇所には軽異常のマークを、復旧可能な箇所には復旧マークを、さらに表示／通知の優先度を付けたものを示している。
【００３１】
実施の形態２．
図１１はこの発明の実施の形態２によるプラント監視用マンマシン装置を示す構成図である。図において、描画処理手段１０５は、処理タスク実行手段４またはイベント入力配送手段２からの描画命令を入力し、モジュール化された描画部品１５１を参照し、表示出力を出力する。他の構成要素は実施の形態１で示した図１と同様である。
【００３２】
次に、実施の形態２のプラント監視用マンマシン装置の処理動作を、オペレータによる画面タッチの操作を例にあげ、図１２に示す処理の流れを表すフローチャートを参照しながら説明する。画面タッチの操作とは図１３に示すように、表示画面ＸのボタンＡをタッチしたとき表示画面がＹに変わり、表示画面ＸのボタンＢをタッチしたとき表示画面がＺに変わるという操作である。
【００３３】
処理の基本的な流れは実施の形態１と同様であるので（図１２のＳ１〜Ｓ７は図２のＳ１〜Ｓ７と同一）、ここでは画面タッチの操作の実現方法を説明する。画面タッチの操作を実現するのは、図１４に示したイベント入力配送情報であり、オペレータからの入力イベント（ボタンＡをタッチ、ボタンＢをタッチ等）に対応して、描画処理手段１０５へ配送する指令イベント（表示画面Ｙを表示、表示画面Ｚを表示等）が定められてある。イベント入力配送手段２はこのイベント入力配送情報２１を参照し、タッチの種類に応じて描画処理手段１０５において表示すべき画面を自由に設定し、表示させることができる（Ｓ１１〜Ｓ１３）。
【００３４】
このように、イベント入力配送情報を備えたイベント入力配送手段と描画処理手段により、タッチ操作に伴う描画処理なども仕様変更に柔軟に対応できる。即ち、例えば、ボタンＡをタッチしたとき表示画面Ｚを表示するように仕様が変更されても、図１３のイベント入力配送情報を書き換えれば簡単に対処できる。
【００３５】
そして、本実施の形態におけるオペレータ入出力手段１、イベント入力配送手段２、処理タスク起動手段３、処理タスク実行手段４、並びに描画処理手段１０５は、それぞれ自分自身の異常状態を検出して、それぞれの異常状態ログを出力する機能を有している。例えば、実施の形態１で説明したのと同様に、描画処理手段１０５では、処理タスク起動手段３又はイベント入力配送手段２からのデータを受信できない、描画部品１５１からデータを読み出せない、又はＯＰ入出力手段１へデータを送信できないといった異常状態を検出し、異常状態ログとして出力する機能を備える。
【００３６】
図１５はこの発明の実施の形態２による状態監視手段６１の内部を含めたプラント監視用マンマシン装置を示す構成図である。図１５の状態監視手段６１は、オペレータ入出力手段１、イベント入力配送手段２、処理タスク起動手段３、処理タスク実行手段４および描画処理手段１０５の各手段から出力される異常状態ログを定周期で取得するログ収集インターフェース（Ｉ／Ｆ）６２を備える。そして、ログ収集Ｉ／Ｆ６２は、所定周期で集められた異常状態ログを各時刻毎に、プラント監視用マンマシン装置の各手段（オペレータ入出力手段１、イベント入力配送手段２、処理タスク起動手段３、処理タスク実行手段４、描画処理手段１０５）について各異常状態（状態Ａ〜Ｚ）ごとにマトリクス形式にまとめて出力する。ログ収集Ｉ／Ｆ６２でまとめられる異常状態ログのマトリクスは、実施の形態１と同様、図６から図１０のような形式になる。
【００３７】
ログ蓄積機能６３は、ログ収集Ｉ／Ｆ６２により収集されたマトリクス形式の異常状態ログを一括して蓄積する。また、ログ蓄積機能６３は、ログ収集Ｉ／Ｆ６２を介して、オペレータ入出力手段１〜描画処理手段１０５の各手段のメモリ、Ｉ／Ｏなどのリソース使用量、ＣＰＵの負荷などシステムログ情報等が記憶される。
【００３８】
蓄積ログアクセスＩ／Ｆ６６は、ログ蓄積機能６３に対して外部からアクセスすることを可能とする機能を有する。すなわち、蓄積ログアクセスＩ／Ｆ６６は、プラント監視マンマシン装置の過去から現在までの蓄積された異常状態ログに対して、外部から簡単なアクセスＩ／Ｆを提供する。
【００３９】
ログ監視機能６４は、ログ収集Ｉ／Ｆ６２にて受け付けた各手段の異常状態ログの中の異常状態を検知する。すなわち、ログ監視機能６４は、ログ収集Ｉ／Ｆ６２を介して、オペレータ入出力手段１〜描画処理手段１０５の各手段の異常状態や、オペレータ入出力手段１〜描画処理手段１０５の各手段のメモリ、Ｉ／Ｏなどのリソース使用量の制限値オーバ、ＣＰＵの負荷などシステムログ情報の制限値オーバを検知する。そして、ログ監視機能６４は、異常状態を表示するＣＲＴ等の表示手段６９を備えている。
【００４０】
アラーム通知機能６５は、ログ監視機能６４で検知した異常状態をオペレータへ警報として通知する。
【００４１】
以上のように本実施の形態によれば、プラント監視用マンマシン装置のオペレータ入出力手段、イベント入力配送手段、処理タスク起動手段、処理タスク実行手段、および描画処理手段から出力される異常状態ログを収集し、所定時間毎の上記各手段における異常状態をマトリクス形式にまとめて出力するログ収集インターフェースを有する状態監視手段を備えたので、プラント監視用マンマシン装置の各手段の異常状態を時系列的に一元管理することが可能になる。
【００４２】
また、人手を介して、装置内の各手段の１個１個に接続し、ログを取得する必要がなく、時間及びコスト低減が図れる。
【００４３】
また、本実施の形態によれば、ログ収集インターフェースにより収集されたマトリクス形式の異常状態ログを蓄積するログ蓄積機能と、ログ蓄積機能に対して外部からアクセスすることを可能とする蓄積ログアクセスインターフェースを備えたので、外部手段によりプラント監視用マンマシン装置内の異常状態ログの分析が可能になる。
【００４４】
また、本実施の形態によれば、ログ収集インターフェースにて受け付けた各手段の異常状態ログの中の異常状態を検知するログ監視機能と、ログ監視機能で検知した異常状態をオペレータへ警報として通知するアラーム通知機能を備えたので、プラント監視用マンマシン装置内の各手段の異常検出の迅速化が図れる。
【００４５】
実施の形態３．
図１６はこの発明の実施の形態３によるプラント監視用マンマシン装置を示す構成図である。図において、処理タスク起動実行手段６は、実施の形態１のプラント監視用マンマシン装置の処理タスク起動手段３と処理タスク実行手段１の機能を統括したものである。
【００４６】
処理タスク起動手段３と処理タスク実行手段４を一つにすることにより、これらの間で行われていた通信量を減らすことができると共に、装置が簡素になる。例えば、プロセス間通信をする場合、通信するためのプロコトルが必要であるが、一つにすると通信の必要がなく、プログラム上の処理で対応することができる。また、一つの指令イベントに対し一つの起動命令が対応（１対１で対応）しているので、処理タスク起動手段３と処理タスク実行手段４を一つにすることが容易にできる。
【００４７】
そして、本実施の形態におけるオペレータ入出力手段１、イベント入力配送手段２、処理タスク起動実行手段６、並びにＯＰ出力処理手段５は、それぞれ自分自身の異常状態を検出して、それぞれの異常状態ログを出力する機能を有している。例えば、実施の形態１で説明したのと同様に、処理タスク起動実行手段６では、イベント入力配送手段２からのデータを受信できない、処理タスク起動情報３１又は処理タスク４１からデータを読み出せない、又はＯＰ入出力処理手段５へデータを送信できないといった異常状態を検出し、異常状態ログとして出力する機能を備える。
【００４８】
図１７はこの発明の実施の形態３による状態監視手段６１の内部を含めたプラント監視用マンマシン装置を示す構成図である。図１７の状態監視手段６１は、オペレータ入出力手段１、イベント入力配送手段２、処理タスク起動実行手段６およびオペレータ出力処理手段５の各手段から出力される異常状態ログを定周期で取得するログ収集インターフェース（Ｉ／Ｆ）６２を備える。そして、ログ収集Ｉ／Ｆ６２は、所定周期で集められた異常状態ログを各時刻毎に、プラント監視用マンマシン装置の各手段（オペレータ入出力手段１、イベント入力配送手段２、処理タスク起動実行手段６、オペレータ出力処理手段５）について各異常状態（状態Ａ〜Ｚ）ごとにマトリクス形式にまとめて出力する。ログ収集Ｉ／Ｆ６２でまとめられる異常状態ログのマトリクスは、実施の形態１と同様、図６から図１０のような形式になる。
【００４９】
ログ蓄積機能６３は、ログ収集Ｉ／Ｆ６２により収集されたマトリクス形式の異常状態ログを一括して蓄積する。また、ログ蓄積機能６３は、ログ収集Ｉ／Ｆ６２を介して、オペレータ入出力手段１〜ＯＰ出力処理手段５の各手段のメモリ、Ｉ／Ｏなどのリソース使用量、ＣＰＵの負荷などシステムログ情報等が記憶される。
【００５０】
蓄積ログアクセスＩ／Ｆ６６は、ログ蓄積機能６３に対して外部からアクセスすることを可能とする機能を有する。すなわち、蓄積ログアクセスＩ／Ｆ６６は、プラント監視マンマシン装置の過去から現在までの蓄積された異常状態ログに対して、外部から簡単なアクセスＩ／Ｆを提供する。
【００５１】
ログ監視機能６４は、ログ収集Ｉ／Ｆ６２にて受け付けた各手段の異常状態ログの中の異常状態を検知する。すなわち、ログ監視機能６４は、ログ収集Ｉ／Ｆ６２を介して、オペレータ入出力手段１〜ＯＰ出力処理手段５の各手段の異常状態や、オペレータ入出力手段１〜ＯＰ出力処理手段５の各手段のメモリ、Ｉ／Ｏなどのリソース使用量の制限値オーバ、ＣＰＵの負荷などシステムログ情報の制限値オーバを検知する。そして、ログ監視機能６４は、異常状態を表示するＣＲＴ等の表示手段６９を備えている。
【００５２】
アラーム通知機能６５は、ログ監視機能６４で検知した異常状態をオペレータへ警報として通知する。
【００５３】
以上のように本実施の形態によれば、プラント監視用マンマシン装置のオペレータ入出力手段、イベント入力配送手段、処理タスク起動実行手段、およびオペレータ出力処理手段から出力される異常状態ログを収集し、所定時間毎の上記各手段における異常状態をマトリクス形式にまとめて出力するログ収集インターフェースを有する状態監視手段を備えたので、プラント監視用マンマシン装置の各手段の異常状態を時系列的に一元管理することが可能になる。
【００５４】
また、人手を介して、装置内の各手段の１個１個に接続し、ログを取得する必要がなく、時間及びコスト低減が図れる。
【００５５】
また、本実施の形態によれば、ログ収集インターフェースにより収集されたマトリクス形式の異常状態ログを蓄積するログ蓄積機能と、ログ蓄積機能に対して外部からアクセスすることを可能とする蓄積ログアクセスインターフェースを備えたので、外部手段によりプラント監視用マンマシン装置内の異常状態ログの分析が可能になる。
【００５６】
また、本実施の形態によれば、ログ収集インターフェースにて受け付けた各手段の異常状態ログの中の異常状態を検知するログ監視機能と、ログ監視機能で検知した異常状態をオペレータへ警報として通知するアラーム通知機能を備えたので、プラント監視用マンマシン装置内の各手段の異常検出の迅速化が図れる。
【００５７】
実施の形態４．
上記実施の形態１〜実施の形態３ではプラント監視用マンマシン装置ごとの状態監視手段６１を設けることについて述べた。本実施の形態では、図１８に示すように、複数の状態監視手段６１を統合する統合状態監視手段７１を設けることにより、複数のプラント監視用マンマシン装置の異常検出の一括管理ができるようにする。
【００５８】
図１８はこの発明の実施の形態４によるプラント監視用マンマシンシステムを示す構成図である。図において、６１はプラント監視用マンマシン装置ごとの状態監視手段、７２は複数の状態監視手段６１を結ぶネットワーク、７１は複数の状態監視手段６１を統合する統合状態監視手段である。なお、その他の構成要素は、上記実施の形態１〜実施の形態３で説明した構成要素と同様である。
【００５９】
図１９はこの発明の実施の形態４の状態監視手段６１のブロック図および統合状態監視手段７１のブロック図である。図において、プラント監視用マンマシン装置の状態監視手段６１には、プラント監視用マンマシン装置の各手段の異常状態ログを受け付けるログ収集インターフェース６２、ネットワーク７２を介してログ収集インターフェース６２で収集した異常状態ログを送信するネットワークインターフェース７７を備えている。統合状態監視手段７１には、ネットワーク７２を介して異常状態ログを所定周期で受信する統合状態監視側ネットワークインターフェース（Ｉ／Ｆ）７８を備えている。
【００６０】
統合状態監視側ネットワークＩ／Ｆ７８は、図２０に示すように、所定周期で集められた異常状態ログを各時刻毎に、各プラント監視用マンマシン装置について各異常状態（状態Ａ〜Ｚ）ごとにマトリクス形式にまとめて出力する。この場合、異常状態Ａ〜Ｚについて、各装置で共通化できる異常状態は共通化してまとめることとする。例えば、異常状態Ａは「データの受信ができない」、異常状態Ｂは「データの送信ができない」、異常状態Ｃは「データの読み出しができない」、異常状態Ｄは「データの書き込みができない」等としてまとめる。そして、各装置の各異常状態（Ａ〜Ｚ）において異常が受け付けられると、図２０に示すようにマトリクス内の該当箇所にフラグが立てられる。
【００６１】
統合状態監視手段７１の統合ログ蓄積機能７３は、統合状態監視側ネットワークＩ／Ｆ７８により収集されたマトリクス形式の異常状態ログを一括して蓄積する。統合蓄積ログアクセスＩ／Ｆ７６は、統合ログ蓄積機能６３に対して外部からアクセスすることを可能とする機能を有する。すなわち、統合蓄積ログアクセスＩ／Ｆ６６は、複数のプラント監視マンマシン装置の過去から現在までの蓄積された異常状態ログに対して、外部から簡単なアクセスＩ／Ｆを提供する。
【００６２】
統合状態監視手段７１の統合ログ監視機能７４は、統合状態監視側ネットワークＩ／Ｆ７８にて受け付けた各装置の異常状態ログの中の異常状態を検知する。統合アラーム通知機能７５は、統合ログ監視機能７４で検知した異常状態をオペレータへ警報として通知する。
【００６３】
以上のように本実施の形態によれば、複数のプラント監視用マンマシン装置から出力される異常状態ログをネットワークを介して収集し、所定時間毎の各装置における異常状態をマトリクス形式にまとめて出力する統合状態監視側ネットワークインターフェースを有する統合状態監視手段を備えたので、複数台のプラント監視用マンマシン装置の異常状態を時系列的に一元管理することが可能になる。
【００６４】
また、本実施の形態によれば、統合状態監視側ネットワークインターフェースにより収集されたマトリクス形式の異常状態ログを蓄積する統合ログ蓄積機能と、統合ログ蓄積機能に対して外部からアクセスすることを可能とする統合蓄積ログアクセスインターフェースを備えたので、外部手段により複数台のプラント監視用マンマシン装置の異常状態ログの分析が可能になる。
【００６５】
また、本実施の形態によれば、統合状態監視側ネットワークインターフェースにて受け付けた各装置の異常状態ログの中の異常状態を検知する統合ログ監視機能と、統合ログ監視機能で検知した異常状態をオペレータへ警報として通知する統合アラーム通知機能を備えたので、複数台のプラント監視用マンマシン装置内の異常検出の迅速化が図れる。
【００６６】
上記実施の形態において、統合状態監視側ネットワークＩ／Ｆ７８は、所定周期で集められた異常状態ログを各時刻毎に、各プラント監視用マンマシン装置の各異常状態（状態Ａ〜Ｚ）ごとにマトリクス形式にまとめて出力し、各装置について異常が受け付けられると、マトリクス内の該当箇所にフラグを立てて、統合ログ監視機能７４を通じて表示手段（図示せず）に表示したり、統合アラーム通知機能７５を介してアラーム通知したりしていた。しかし、微細な異常の場合は、統合ログ監視機能７４を通じて表示手段（図示せず）に表示したり、アラーム通知機能７５を介してアラーム通知したりする必要がないので、図２１に示すように、あらかじめ異常状態ログのマトリクス内の微細な異常に該当する箇所に非表示／非通知マスクをかけておいても良い。このようにすれば、各装置において微細な異常が生じても、統合ログ監視機能７４を通じて表示手段（図示せず）に表示したり、統合アラーム通知機能７５を介してアラーム通知したりすることがない。
【００６７】
また、図２２に示すように、あらかじめ異常状態ログのマトリクス内の重大な異常（例えば全くデータの送信ができない、全てのデータの読み出しができない等）に該当する箇所には重異常のマーク、軽度な異常（リトライならデータの送信ができる、一部のデータの読み出しができない等）に該当する箇所には軽異常のマーク、復旧可能な箇所には復旧マークを付けておいても良い。このようにすれば、各装置における重大、軽度、復旧可能といった異常の程度を、統合ログ監視機能７４を通じて表示手段（図示せず）に表示したり、統合アラーム通知機能７５を介してアラーム通知したりすることができる。
【００６８】
また、図２３に示すように、あらかじめ異常状態ログのマトリクス内において表示／通知の優先度を付けておいても良い。このようにすれば、表示優先度に対応して各装置の異常を、統合ログ監視機能６４を通じて表示手段（図示せず）に表示したり、統合アラーム通知機能７５を介してアラーム通知したりすることができる。
【００６９】
図２４は、統合状態監視側ネットワークＩ／Ｆ７８がまとめる異常状態ログのマトリクスにおいて、微細な異常に該当する箇所に非表示／非通知マスクを、重大な異常に該当する箇所には重異常のマークを、軽度な異常に該当する箇所には軽異常のマークを、復旧可能な箇所には復旧マークを、さらに表示／通知の優先度を付けたものを示している。
【００７０】
図２５はこの発明の実施の形態４の他の例によるプラント監視用マンマシンシステムを示す構成図である。図において、６１はプラント監視用マンマシン装置ごとの状態監視手段、９２は複数の状態監視手段６１を結ぶＷＡＮ（広域ネットワーク）又はインターネット、９１は複数の状態監視手段６１を統合する広域統合状態監視手段である。
【００７１】
図２６はこの発明の実施の形態４の他の例の状態監視手段６１のブロック図および広域統合状態監視手段９１のブロック図である。図において、プラント監視用マンマシン装置の状態監視手段６１には、プラント監視用マンマシン装置の各手段の異常状態ログを受け付けるログ収集インターフェース６２、ＷＡＮまたはインターネット９２を介してログ収集インターフェース６２で収集した異常状態ログを送信するＷＡＮまたはインターネットインターフェース９７を備えている。広域統合状態監視手段９１には、ＷＡＮまたはインターネット９２を介して異常状態ログを所定周期で受信する広域統合状態監視側ＷＡＮまたはインターネットインターフェース（Ｉ／Ｆ）９８を備えている。
【００７２】
また、広域統合状態監視手段９１には、統合状態監視側ＷＡＮまたはインターネットＩ／Ｆ９８により収集されたマトリクス形式の異常状態ログを一括して蓄積する広域統合ログ蓄積機能７３、広域統合ログ蓄積機能７３に対して外部からアクセスすることを可能とする広域統合蓄積ログアクセスＩ／Ｆ９６を備えている。
【００７３】
さらに、広域統合状態監視手段９１には、統合状態監視側ＷＡＮまたはインターネットＩ／Ｆ９８にて受け付けた各装置の異常状態ログの中の異常状態を検知する広域統合ログ監視機能９４、広域統合ログ監視機能９４で検知した異常状態をオペレータへ警報として通知する統合アラーム通知機能９５を備えている。
【００７４】
図２５及び図２６において、各プラント監視用マンマシン装置にあるＷＡＮまたはインターネットＩ／Ｆ９７において汎用プロトコル変換を行う処理、広域統合状態監視手段９１にある統合状態監視側ＷＡＮまたはインターネットＩ／Ｆ９８において汎用プロトコル逆変換を行う処理が追加されている点を除いて、上記実施の形態４で説明したと同様の作用及び効果を奏する。
【図面の簡単な説明】
【００７５】
【図１】この発明の実施の形態１によるプラント監視用マンマシン装置を示す構成図である。
【図２】この発明の実施の形態１によるプラント監視用マンマシン装置の処理フロー図である。
【図３】この発明の実施の形態１によるイベント入力配送情報内の入出力イベント対応図である。
【図４】この発明の実施の形態１によるセンサ判定処理の処理フロー図である。
【図５】この発明の実施の形態１による状態監視手段の内部を表したプラント監視用マンマシン装置を示す構成図である。
【図６】この発明の実施の形態１によるログ収集インターフェースにより収集されたマトリクス形式の異常状態ログを示す図である。
【図７】この発明の実施の形態１によるログ収集インターフェースにより収集されたマトリクス形式の異常状態ログを示す図である。
【図８】この発明の実施の形態１によるログ収集インターフェースにより収集されたマトリクス形式の異常状態ログを示す図である。
【図９】この発明の実施の形態１によるログ収集インターフェースにより収集されたマトリクス形式の異常状態ログを示す図である。
【図１０】この発明の実施の形態１によるログ収集インターフェースにより収集されたマトリクス形式の異常状態ログを示す図である。
【図１１】この発明の実施の形態２によるプラント監視用マンマシン装置を示す構成図である。
【図１２】この発明の実施の形態２によるプラント監視用マンマシン装置の処理フロー図である。
【図１３】この発明の実施の形態２による画面タッチ操作を示す画面図である。
【図１４】この発明の実施の形態２によるイベント入力配送情報内の入出力イベント対応図である。
【図１５】この発明の実施の形態２による状態監視手段の内部を含めたプラント監視用マンマシン装置を示す構成図である。
【図１６】この発明の実施の形態３によるプラント監視用マンマシン装置を示す構成図である。
【図１７】この発明の実施の形態３による状態監視手段の内部を表したプラント監視用マンマシン装置を示す構成図である。
【図１８】この発明の実施の形態４によるプラント監視用マンマシンシステムを示す構成図である。
【図１９】この発明の実施の形態４による統合状態監視手段の内部を表したプラント監視用マンマシンシステムを示す構成図である。
【図２０】この発明の実施の形態４による統合状態監視側ネットワークインターフェースにより収集されたマトリクス形式の異常状態ログを示す図である。
【図２１】この発明の実施の形態４による統合状態監視側ネットワークインターフェースにより収集されたマトリクス形式の異常状態ログを示す図である。
【図２２】この発明の実施の形態４による統合状態監視側ネットワークインターフェースにより収集されたマトリクス形式の異常状態ログを示す図である。
【図２３】この発明の実施の形態４による統合状態監視側ネットワークインターフェースにより収集されたマトリクス形式の異常状態ログを示す図である。
【図２４】この発明の実施の形態４による統合状態監視側ネットワークインターフェースにより収集されたマトリクス形式の異常状態ログを示す図である。
【図２５】この発明の実施の形態４の他の例によるプラント監視用マンマシンシステムを示す構成図である。
【図２６】この発明の実施の形態４の他の例の状態監視手段の内部および広域統合状態監視手段の内部を表したプラント監視用マンマシンシステムを示す構成図である。
【符号の説明】
【００７６】
１  オペレータ入出力手段、２  イベント入力配送手段、
２１  イベント入力配送情報、３  処理タスク起動手段、
３１  処理タスク起動情報、４  処理タスク実行手段、４１  処理タスク、
５  オペレータ出力処理手段、５１  オペレータ出力部品、
６  処理タスク起動実行手段、９  プラント、６１  状態監視手段、
６２  ログ収集インターフェース、６３  ログ蓄積機能、６４  ログ監視機能、
６５  アラーム通知機能、６６  蓄積ログアクセスインターフェース、
７１  統合状態監視手段、７２  ネットワーク、７３  統合ログ蓄積機能、
７４  統合ログ監視機能、７５  統合アラーム通知機能、
７７  ネットワークインターフェース、
７８  統合状態監視側ネットワークインターフェース、
９１  広域統合状態監視手段、９２  ＷＡＮまたはインターネット、
９３  広域統合ログ蓄積機能、９４  広域統合ログ監視機能、
９５  広域統合アラーム通知機能、
９７  ＷＡＮまたはインターネットインターフェース、
９８  統合状態監視側ＷＡＮまたはインターネットインターフェース、
１００  オペレータ入出力機器、１０５  描画処理手段、１５１  描画部品。
【図１】
2007065744.tif 000003
【図２】
2007065744.tif 000004
【図３】
2007065744.tif 000005
【図４】
2007065744.tif 000006
【図５】
2007065744.tif 000007
【図６】
2007065744.tif 000008
【図７】
2007065744.tif 000009
【図８】
2007065744.tif 000010
【図９】
2007065744.tif 000011
【図１０】
2007065744.tif 000012
【図１１】
2007065744.tif 000013
【図１２】
2007065744.tif 000014
【図１３】
2007065744.tif 000015
【図１４】
2007065744.tif 000016
【図１５】
2007065744.tif 000017
【図１６】
2007065744.tif 000018
【図１７】
2007065744.tif 000019
【図１８】
2007065744.tif 000020
【図１９】
2007065744.tif 000021
【図２０】
2007065744.tif 000022
【図２１】
2007065744.tif 000023
【図２２】
2007065744.tif 000024
【図２３】
2007065744.tif 000025
【図２４】
2007065744.tif 000026
【図２５】
2007065744.tif 000027
【図２６】
2007065744.tif 000028